【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
ピクセルの第１のブロックをピクセルの第２のブロックに内挿する方法であって、前記第２のブロックは前記第１のブロックのピクセル数よりも多い数のピクセルを含み、ピクセルの前記第１のブロックは２つの隣接する行および２つの隣接する列に配置された４つのピクセルを含み、第１の値は前記第１のブロックの前記ピクセルに関連付けられており、前記第１の値は、前記４つのピクセルのうちの３つのピクセルについては確定的であり、かつ前記４つのピクセルのうちの１つのピクセルについては不確定であり、前記方法は、前記第１のブロック内の前記３つのピクセルの座標から決定される、関連付けられる第１の値を有する前記第１のブロックの前記３つのピクセルから、前記３つのピクセルに関連付けられた第１の値から、および前記第２のブロックに内挿されたピクセルの座標から、前記第２のブロックの内挿されたピクセルの少なくとも一部に関連付けられるべき第２の値を決定することを含む、前記方法。
【請求項２】
前記第１のブロック内の前記３つのピクセルの座標および前記３つのピクセルに関連付けられた前記第１の値から決定される、関連する第１の値を有する前記第１のブロックの前記３つのピクセルを通る平面の式を決定することをさらに含み、前記内挿されたピクセルの前記少なくとも一部に関連付けられるべき前記第２の値は、前記平面の式および前記第２のブロックに内挿されたピクセルの前記座標から決定される、請求項１に記載の方法。
【請求項３】
前記決定された第２の値の少なくとも一部は、前記第２のブロック内にコピーされた前記第１のブロックの前記３つのピクセルを頂点として有する多角形の外側に配置された、内挿されたピクセルに関連付けられる、請求項１または２に記載の方法。
【請求項４】
前記不確定な第１の値は、前記第２のブロックの少なくとも１つのピクセルに関連付けられる、請求項１から３のいずれかに記載の方法。
【請求項５】
前記不確定な第１の値に関連付けられる前記第２のブロックのピクセル数が、ピクセルの前記第１のブロックの内挿によって、ピクセルの前記第２のブロックを得るために使用される水平および垂直アップサンプリング係数のうちの少なくとも１つのパリティの関数である、請求項４に記載の方法。
【請求項６】
前記第２のブロックは、水平アップサンプリング係数および垂直アップサンプリング係数を使用することによる前記第１のブロックのアップサンプリングに対応し、前記方法は、
前記水平アップサンプリング係数および垂直アップサンプリング係数のパリティを決定するステップと、
前記水平アップサンプリング係数が偶数の場合に前記第２のブロックの中央の列に属する前記内挿されたピクセルに適用されるべき、かつ／または前記垂直アップサンプリング係数が偶数の場合に前記第２のブロックの中央の行に属する前記内挿されたピクセルに適用されるべき、内挿規則を決定するステップと、
を含む、請求項１から５のいずれかに記載の方法。
【請求項７】
前記内挿規則は、
第２の値を、前記第１のブロックの前記３つのピクセルを通る平面の式から決定される前記中央の列および／または前記中央の行の前記ピクセルと関連付ける規則と、
第２の値を、前記第１のブロックの少なくとも１つのピクセルに関連付けられた少なくとも１つの第１の値に対応する中央の列および／または中央の行の前記ピクセルと関連付ける規則と、
を含む規則のセットから選択される、請求項６に記載の方法。
【請求項８】
前記第１の値は視差を表す値である、請求項１から７のいずれかに記載の方法。
【請求項９】
前記第１の値はグレイレベルを表す値である、請求項１から８のいずれかに記載の方法。
【請求項１０】
ピクセルの第１のブロックをピクセルの第２のブロックに内挿するためのモジュールであって、前記第２のブロックは前記第１のブロックのピクセル数よりも多い数のピクセルを含み、ピクセルの前記第１のブロックは２つの隣接する行および２つの隣接する列に配置された４つのピクセルを含み、第１の値は前記第１のブロックの前記ピクセルに関連付けられており、前記第１の値は前記４つのピクセルのうちの３つのピクセルについては確定的であり、かつ前記４つのピクセルのうちの１つのピクセルについては不確定であり、前記モジュールは、前記第１のブロック内の前記３つのピクセルの座標から決定される、関連付けられる第１の値を有する前記第１のブロック内の前記３つのピクセルから、前記３つのピクセルに関連付けられる第１の値から、および前記第２のブロックに内挿されたピクセルの座標から、前記第２のブロックの内挿されたピクセルのうちの少なくとも一部に関連付けられるべき第２の値を決定するよう構成された少なくとも１つのプロセッサを備える、前記モジュール。
【請求項１１】
前記少なくとも１つのプロセッサはグラフィックス処理装置である、請求項１０に記載のモジュール。
【請求項１２】
前記少なくとも１つのプロセッサは、前記第１のブロック内の前記３つのピクセルの座標および前記３つのピクセルに関連付けられた前記第１の値から決定される、関連する第１の値を有する、前記第１のブロックの前記３つのピクセルを通過する平面の式を決定するようにさらに構成され、前記内挿されたピクセルの前記少なくとも一部に関連付けられるべき前記第２の値は、前記平面の式および前記第２のブロックに内挿されたピクセルの前記座標から決定される、請求項１０または１１に記載のモジュール。
【請求項１３】
コンピュータ上で実行されたときに請求項１から９のいずれかに記載の前記方法のステップを実行するためのプログラムコード命令を含む、コンピュータプログラム。
【手続補正２】
【補正対象書類名】明細書
【補正対象項目名】００７５
【補正方法】変更
【補正の内容】
【００７５】
さらに、説明される方法は、１または複数のプロセッサーによって実行される命令の形態で実現されることができ、そのような命令は、例えば集積回路などのプロセッサーまたはコンピュータ、ハードディスク、光ディスク（ＣＤまたはＤＶＤ）、ランダムアクセスメモリ（ＲＡＭ）、または不揮発性メモリ（ＲＯＭ）などの任意の記憶装置によって読み取られることのできる媒体上に格納されることができる。命令は、例えば、プロセッサー可読媒体内に格納されたアプリケーションプログラムを形成する。命令は、例えば、ハードウェア、ファームウェア、またはソフトウェアの形態を取る。
（付記１）
ピクセルの第１のブロック（２０）をピクセルの第２のブロック（２００）に内挿する方法であって、前記第２のブロック（２００）は前記第１のブロック（２０）のピクセル数よりも多数のピクセルを含み、ピクセルの前記第１のブロックは２つの隣接する行および２つの隣接する列に配置された４つのピクセル（２１、２２、２３、２４）を含み、第１の値は前記第１のブロックの前記ピクセル（２１、２２、２３、２４）に関連付けられており、前記第１の値は、前記４つのピクセルのうちの３つのピクセル（２１、２３、２４）については確定的であり、かつ前記４つのピクセルのうちの１つのピクセル（２２）については不確定であり、前記方法は、前記第１のブロック（２０）内の前記３つのピクセル（２１、２３、２４）の座標から決定される、関連する第１の値を有する前記第１のブロック（２０）の前記３つのピクセル（２１、２３、２４）から、前記３つのピクセル（２１、２３、２４）に関連付けられた第１の値から、および前記第２のブロック（２００）に内挿されたピクセルの座標から、前記第２のブロック（２００）の内挿されたピクセル（２０２、２０３、２０６、２１１、２１６、２２０、２２１、２２５、２２７、２２８、２２９）の少なくとも一部に関連付けられるべき第２の値を決定すること（４２）を含む、前記方法。
（付記２）
前記第１のブロック（２０）内の前記３つのピクセル（２１、２３、２４）の座標および前記３つのピクセル（２１、２３、２４）に関連付けられた前記第１の値から決定される、関連する第１の値を有する前記第１のブロック（２０）の前記３つのピクセル（２１、２３、２４）を通る平面の式を決定することをさらに含み、前記内挿されたピクセル（２０２、２０３、２０６、２１１、２１６、２２０、２２１、２２５、２２７、２２８、２２９）の前記少なくとも一部に関連付けられるべき前記第２の値は、前記平面の式および前記第２のブロック（２００）に内挿されたピクセルの前記座標から決定される、付記１に記載の方法。
（付記３）
前記決定された第２の値の少なくとも一部は、前記第２のブロック（２００）内にコピーされた前記第１のブロック（２０）の前記３つのピクセル（２０１、２２６、２３０）を頂点として有する多角形の外側に配置された、内挿されたピクセル（２０２、２０３，２２０、２２５）に関連付けられる、付記１または２に記載の方法。
（付記４）
前記不確定な第１の値は、前記第２のブロック（２００）の少なくとも１つのピクセル（２０４、２０５、２１０、２１５）に関連付けられる、付記１から３のいずれかに記載の方法。
（付記５）
前記不確定な第１の値に関連付けられる前記第２のブロックのピクセル数が、ピクセルの前記第１のブロック（２０）の内挿によって、ピクセルの前記第２のブロック（２００）を得るために使用される水平および垂直アップサンプリング係数のうちの少なくとも１つのパリティの関数である、付記４に記載の方法。
（付記６）
前記第２のブロック（２００）は、水平アップサンプリング係数および垂直アップサンプリング係数を使用することによる前記第１のブロック（２０）のアップサンプリングに対応し、前記方法は、
前記水平および垂直アップサンプリング係数の前記パリティを決定するステップと、
前記水平アップサンプリング係数が偶数の場合に前記第２のブロックの中央の列に属する前記内挿されたピクセル（２０３、２２８）に適用されるべき、かつ／または前記垂直アップサンプリング係数が偶数の場合に前記第２のブロックの中央の行に属する前記内挿されたピクセルに適用されるべき、内挿規則を決定するステップと、
を含む、付記１から５のいずれかに記載の方法。
（付記７）
前記内挿規則は、
第２の値を、前記平面の前記式から決定される前記中央の列および／または前記中央の行の前記ピクセル（２０３、２２８）と関連付ける規則と、
第２の値を、前記第１のブロックの少なくとも１つのピクセルに関連付けられた少なくとも１つの第１の値に対応する前記中央の列および／または前記中央の行の前記ピクセルと関連付ける規則と、
を含む規則のセットから選択される、付記６に記載の方法。
（付記８）
前記第１の値は視差を表す値である、付記１から７のいずれかに記載の方法。
（付記９）
前記第１の値はグレイレベルを表す値である、付記１から８のいずれかに記載の方法。
（付記１０）
ピクセルの第１のブロック（２０）をピクセルの第２のブロック（２００）に内挿するためのモジュール（３）であって、前記第２のブロック（２００）は前記第１のブロック（２０）のピクセル数よりも多い数のピクセルを含み、ピクセルの前記第１のブロックは２つの隣接する行および２つの隣接する列に配置された４つのピクセル（２１、２２、２３、２４）を含み、第１の値は前記第１のブロックの前記ピクセル（２１、２２、２３、２４）に関連付けられており、前記第１の値は前記４つのピクセルのうちの３つのピクセル（２１、２３、２４）については確定的であり、かつ前記４つのピクセルのうちの１つのピクセル（２２）については不確定であり、前記モジュールは、前記第１のブロック（２０）内の前記３つのピクセル（２１、２３、２４）の座標から決定される、関連付けられる第１の値を有する前記第１のブロック内の前記３つのピクセル（２１、２３、２４）から、前記３つのピクセルに関連付けられる第１の値から、および前記第２のブロック（２００）に内挿されたピクセルの座標から、前記第２のブロック  （２００）の内挿されたピクセル（２０２、２０３、２０６、２１１、２１６、２２０、２２１、２２５、２２７、２２８、２２９）のうちの少なくとも一部に関連付けられるべき第２の値を決定する（４２）よう構成された少なくとも１つのプロセッサ（３２０）を備える、前記モジュール。
（付記１１）
前記少なくとも１つのプロセッサ（３２０）はグラフィックス処理装置である、付記１０に記載のモジュール。
（付記１２）
前記少なくとも１つのプロセッサ（３２０）は、前記第１のブロック（２０）内の前記３つのピクセル（２１、２３、２４）の座標および前記３つのピクセル（２１、２３、２４）に関連付けられた前記第１の値から決定される、関連する第１の値を有する、前記第１のブロック（２０）の前記３つのピクセル（２１、２３、２４）を通過する平面の式を決定するようにさらに構成され、前記内挿されたピクセル（２０２、２０３、２０６、２１１、２１６、２２０、２２１、２２５、２２７、２２８、２２９）の前記少なくとも一部に関連付けられるべき前記第２の値は、前記平面の式および前記第２のブロック（２００）に内挿されたピクセルの前記座標から決定される、付記１０または１１に記載のモジュール。
（付記１３）
プログラムがコンピュータ上で実行されたときに付記１から９のいずれかに記載の前記方法の前記ステップを実行するためのプログラムコード命令を含む、コンピュータプログラム製品。